(57)【要約】【課題】本考案は、遊技媒体をカウントするためにはＩＣタグを利用しないと遊技媒体の数をカウントすることができないＩＣタグを利用した遊技媒体計数機を提供する。【解決手段】ＩＣタグを利用したパチンコ玉計数機１０は遊技媒体計数機本体１２とＩＣタグとしてのＩＣカード１４を備えている。遊技媒体計数機本体１２にはパチンコ玉の数をカウントする計数装置３０が設けられている。遊技媒体計数機本体１２の上部にはＩＣリーダ・ライタ装置４４が設けられている。ＩＣリーダ・ライタ装置４４は遊技媒体計数機本体１２の計数装置制御部５４と接続されている。また、計数装置制御部５４は計数装置３０と接続されている。計数装置制御部５４はＩＣカード１４の情報をＩＣリーダ・ライタ装置４４が読み取ると計数許可信号を計数装置３０に送信するようになっている。【選択図】図１
0003140749.tif 000002
【実用新案登録請求の範囲】
【請求項１】
ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられて前記ホッパー体に投入された遊技媒体をカウントする計数装置と、前記遊技媒体計数機本体に設けられて前記ＩＣタグの情報を読み取ることができるＩＣリーダ装置と、前記遊技媒体計数機本体に設けられて前記ＩＣリーダ装置と接続されると共にＩＣリーダ装置が前記ＩＣタグの情報を読み取ると計数許可信号を前記計数装置に送信する計数装置制御部と、を有してなることを特徴とするＩＣタグを利用した遊技媒体計数機。
【請求項２】
ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられると共に前記ホッパー体に投入された遊技媒体が通過する遊技媒体通過部と、前記遊技媒体計数機本体に設けられると共に前記遊技媒体通過部を通過する遊技媒体をカウントすることができる計数装置と、この計数装置を構成する制御基板と、この制御基板と共に前記計数装置を構成する計数センサーと、前記遊技媒体計数機本体に設けられたカウント表示部と、前記遊技媒体計数機本体に設けられて前記ＩＣタグの情報を読み取ることができるＩＣリーダ装置と、前記計数機本体に設けられて前記ＩＣリーダ装置と接続されると共にＩＣリーダ装置が前記ＩＣタグの情報を読み取ると計数許可信号を前記計数装置に送信する計数装置制御部と、を有してなることを特徴とするＩＣタグを利用した遊技媒体計数機。
【請求項３】
ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられて前記ホッパー体に投入された遊技媒体をカウントする計数装置と、前記遊技媒体計数機本体に設けられて前記ＩＣタグの情報を読み取ったりＩＣタグに情報を書き込みすることができるＩＣリーダ・ライタ装置と、前記遊技媒体計数機本体に設けられて前記ＩＣリーダ・ライタ装置と接続されると共にＩＣリーダ・ライタ装置が前記ＩＣタグの情報を読み取ると計数許可信号を前記計数装置に送信する計数装置制御部と、を有してなることを特徴とするＩＣタグを利用した遊技媒体計数機。
【請求項４】
ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられると共に前記ホッパー体に投入された遊技媒体が通過する遊技媒体通過部と、前記遊技媒体計数機本体に設けられると共に前記遊技媒体通過部を通過する遊技媒体をカウントすることができる計数装置と、この計数装置を構成する制御基板と、この制御基板と共に前記計数装置を構成する計数センサーと、前記遊技媒体計数機本体に設けられたカウント表示部と、前記遊技媒体計数機本体に設けられて前記ＩＣタグの情報を読み取ったりＩＣタグに情報を書き込みすることができるＩＣリーダ・ライタ装置と、前記計数機本体に設けられて前記ＩＣリーダ・ライタ装置と接続されると共にＩＣリーダ・ライタ装置が前記ＩＣタグの情報を読み取ると計数許可信号を前記計数装置に送信する計数装置制御部と、を有してなることを特徴とするＩＣタグを利用した遊技媒体計数機。
【請求項５】
前記ＩＣタグをＩＣカードにしたことを特徴とする請求項１、請求項２、請求項３、請求項４記載のＩＣタグを利用した遊技媒体計数機。
【考案の詳細な説明】
【技術分野】
【０００１】  本考案は、パチンコ機で使用するパチンコ玉やパチスロ機で使用するコイン等の遊技媒体の数をカウントする遊技媒体計数機に関し、詳しくはＩＣタグを利用しないと前記遊技媒体の数をカウントすることができないＩＣタグを利用した遊技媒体計数機に関する。
【背景技術】
【０００２】  パチンコ店のパチンコ機で客がプレーしてパチンコ玉を獲得した場合は、客は自分で店内に設置されているパチンコ玉計数機のホッパー体に獲得したパチンコ玉を投入することによりパチンコ玉計数機が自動的にカウントしたパチンコ玉の獲得数に応じてパチンコ店の景品と交換している。この景品には一般景品と特殊景品があり、特殊景品は所定の景品交換所で現金と交換することができるようになっている。
ところで、一般のパチンコ店は客に対してパチンコ玉１個につき４円の貸出料でパチンコ玉を貸し出しているが、最近、パチンコ玉の貸出料が１個４円よりも安いパチンコ店が出現している。
このため、パチンコ玉の貸出料が安いパチンコ店でパチンコ玉を大量に貸し出してもらい、一般的なパチンコ店に前記パチンコ玉を持ち込んでパチンコ玉計数機を使用してパチンコ玉のカウント数に応じて特殊景品と交換するという不正行為が可能となる。
通常、前記パチンコ玉にはパチンコ玉を貸し出すパチンコ店の店名等が刻印されているので、他のパチンコ店のパチンコ玉を持ち込んでパチンコ玉計数機でカウントしようとしてもパチンコ玉計数機の周辺にいる店員によって監視されているためパチンコ玉計数機でカウントすることは困難である。
しかし、前記パチンコ玉計数機の周辺に店員がいない場合等は勝手に安い貸出料のパチンコ店で借り出した大量のパチンコ玉をパチンコ玉計数機でカウントすることが可能である。
【考案の開示】
【考案が解決しようとする課題】
【０００３】  本考案は、上記事実に鑑みなされたものであり、遊技媒体をカウントするためにはＩＣタグを利用しないと前記遊技媒体の数をカウントすることができないようにして勝手に遊技媒体をカウントすることを防止するＩＣタグを利用した遊技媒体計数機を提供するものである。
【課題を解決するための手段】
【０００４】  請求項１の考案は、ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられて前記ホッパー体に投入された遊技媒体をカウントする計数装置と、前記遊技媒体計数機本体に設けられて前記ＩＣタグの情報を読み取ることができるＩＣリーダ装置と、前記遊技媒体計数機本体に設けられて前記ＩＣリーダ装置と接続されると共にＩＣリーダ装置が前記ＩＣタグの情報を読み取ると計数許可信号を前記計数装置に送信する計数装置制御部と、を有してなることを特徴としている。
請求項２の考案は、ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられると共に前記ホッパー体に投入された遊技媒体が通過する遊技媒体通過部と、前記遊技媒体計数機本体に設けられると共に前記遊技媒体通過部を通過する遊技媒体をカウントすることができる計数装置と、この計数装置を構成する制御基板と、この制御基板と共に前記計数装置を構成する計数センサーと、前記遊技媒体計数機本体に設けられたカウント表示部と、前記遊技媒体計数機本体に設けられて前記ＩＣタグの情報を読み取ることができるＩＣリーダ装置と、前記計数機本体に設けられて前記ＩＣリーダ装置と接続されると共にＩＣリーダ装置が前記ＩＣタグの情報を読み取ると計数許可信号を前記計数装置に送信する計数装置制御部と、を有してなることを特徴としている。
請求項３の考案は、ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられて前記ホッパー体に投入された遊技媒体をカウントする計数装置と、前記遊技媒体計数機本体に設けられて前記ＩＣタグの情報を読み取ったりＩＣタグに情報を書き込みすることができるＩＣリーダ・ライタ装置と、前記遊技媒体計数機本体に設けられて前記ＩＣリーダ・ライタ装置と接続されると共にＩＣリーダ・ライタ装置が前記ＩＣタグの情報を読み取ると計数許可信号を前記計数装置に送信する計数装置制御部と、を有してなることを特徴としている。
請求項４の考案は、ＩＣタグと、遊技媒体をカウントすることができる遊技媒体計数機本体と、を備えてなるＩＣタグを利用した遊技媒体計数機であって、前記遊技媒体計数機本体に設けられたホッパー体と、前記遊技媒体計数機本体に設けられると共に前記ホッパー体に投入された遊技媒体が通過する遊技媒体通過部と、前記遊技媒体計数機本体に設けられると共に前記遊技媒体通過部を通過する遊技媒体をカウントすることができる計数装置と、この計数装置を構成する制御基板と、この制御基板と共に前記計数装置を構成する計数センサーと、前記遊技媒体計数機本体に設けられたカウント表示部と、前記遊技媒体計数機本体に設けられて前記ＩＣタグの情報を読み取ったりＩＣタグに情報を書き込みすることができるＩＣリーダ・ライタ装置と、前記計数機本体に設けられて前記ＩＣリーダ・ライタ装置と接続されると共にＩＣリーダ・ライタ装置が前記ＩＣタグの情報を読み取ると計数許可信号を前記計数装置に送信する計数装置制御部と、を有してなることを特徴としている。
請求項５の考案は、前記ＩＣタグをＩＣカードにしたことを特徴としている。
【考案の効果】
【０００５】  本考案は、ＩＣタグを利用しないと遊技媒体をカウントすることができないので第三者が勝手に遊技媒体をカウントすることを防止できるという優れた効果を有する。
請求項３、請求項４の本考案は、上記優れた効果の他にＩＣタグに情報を記録することができるので過去の遊技媒体計数機の使用事実を簡単に調査、確認することができるという優れた効果を有する。
【考案を実施するための最良の形態】
【０００６】  考案を実施するために最良の形態の例として以下のような実施例を示す。
【実施例１】
【０００７】  図１〜図３には本考案に係るＩＣタグを利用した遊技媒体計数機の第１実施例が示されている。なお、実施例では遊技媒体としてはパチンコ機で使用するパチンコ玉を例にし、遊技媒体計数機としてはパチンコ玉の数をカウントするパチンコ玉計数機を例にして説明する。
図１に示されるように、ＩＣタグを利用した遊技媒体計数機としてのＩＣタグを利用したパチンコ玉計数機１０は遊技媒体計数機本体１２とＩＣタグとしてのＩＣカード１４を備えている。
前記遊技媒体計数機本体１２の上部には遊技媒体としてのパチンコ玉（図示せず）を投入することができるホッパー体１６が設けられている。このホッパー体１６は開口して形成され大量のパチンコ玉を投入することができるようになっている。
図２に示されるように、前記遊技媒体計数機本体１２の内部下部にはホッパー体１６に投入されてカウントされたパチンコ玉を一旦貯めておくことができるパチンコ玉タンク部１８が形成されている。
前記ホッパー体１６の底面２０は傾斜されて配設され、底面２０の一端部の中央部は一番低くなるように形成され、一端中央開口部２０Ａが形成されている。この一端中央開口部２０Ａはホッパー体１６にパチンコ玉を投入した場合にパチンコ玉が集中し易いようになっている。
前記一端中央開口部２０Ａと前記パチンコ玉タンク部１８の間には前記ホッパー体１６と前記パチンコ玉タンク部１８を連通する遊技媒体通過部としてのパチンコ玉通過部２２が上下方向に向って形成されている。このパチンコ玉通過部２２は前記ホッパー体１６に投入されたパチンコ玉が通過することができるようになっている。
また、前記パチンコ玉通過部２２の上部には前記一端中央開口部２０Ａを開閉することができるシャッター２４が進退可能に配設されている。従って、このシャッター２４が前進して前記一端中央開口部２０Ａを塞ぐとパチンコ玉はパチンコ玉通過部２２を通過することができず（図２に示す状態）、前記シャッター２４が後退して前記一端中央開口部２０Ａを開けるとパチンコ玉はパチンコ玉通過部２２を通過することができるようになっている。
前記シャッター２４は図示しないバネによって前進方向（図２矢印Ａ方向）に常時付勢されている。なお、前記シャッター２４は図示しないシャッタースイッチを操作することにより前記バネの付勢力に抗して後退方向（図２矢印Ａ反対方向）に移動して前記一端中央開口部２０Ａを開けることができるようになっている。
前記遊技媒体計数機本体１２の内部にはパチンコ玉の数をカウントすることができる計数装置３０が設けられている。この計数装置３０は、制御基板３２と光センサー等の公知の計数センサー３４とから構成されている。
この計数センサー３４は前記パチンコ玉通過部２２の内周面に対応して設けられており、パチンコ玉通過部２２を通過するパチンコ玉を確実に検知することができるようになっている。
また、前記計数センサー３４は前記パチンコ玉通過部２２を通過するパチンコ玉の検知信号を前記制御基板３２に正確に入力するようになっている。この制御基板３２に入力された検知信号は後述するカウント表示部に数字で表示されるようになっている。
図１に示されるように、前記遊技媒体計数機本体１２の上部にはカウント表示部４０が形成されている。このカウント表示部４０には前記ホッパー体１６に投入されて前記計数装置３０でカウントされたパチンコ玉のカウント数が表示されるようになっている。なお、カウント表示部４０の横にはリセットボタン４２が設けられ、カウント表示部４０に表示されたカウント数をリセットできるようになっている。
前記遊技媒体計数機本体１２の上部には前記カウント表示部４０、リセットボタン４２に並んでＩＣリーダ・ライタ装置４４が設けられている。このＩＣリーダ・ライタ装置４４にはアンテナが内蔵されており前記ＩＣカード１４と通信できるようになっている。また、ＩＣリーダ・ライタ装置４４からは常時微弱な電波が出されている。
前記ＩＣリーダ・ライタ装置４４は前記ＩＣカード１４をＩＣリーダ・ライタ装置４４に翳すとＩＣカード１４の情報を読み取ることができると共にＩＣカード１４に情報を記録できるようになっている。
前記ＩＣカード１４のカード本体４８はプラスチックスで薄いカード状に形成され、カード本体４８にはアンテナ５０とＩＣチップ５２が埋め込まれている。
このＩＣチップ５２にはパチンコ店の店番号や所持者であるパチンコ店の店員識別番号等の種々の情報が記録されると共に種々の情報を記録することができるようになっている。
図３に示されるように、前記ＩＣリーダ・ライタ装置４４は前記遊技媒体計数機本体１２に内設された計数装置制御部５４と接続されている。また、この計数装置制御部５４は前記計数装置３０の制御基板３２と接続されている。
前記計数装置制御部５４は前記ＩＣカード１４に記録されている情報と前記ＩＣリーダ・ライタ装置４４に記録されている情報が一致してＩＣリーダ・ライタ装置４４がＩＣカード１４の情報を読み取ることができると計数許可信号を所定時間（通常はホッパー体１６に投入された全てのパチンコ玉の数をカウントする時間より少し長い時間）だけ前記計数装置３０の制御基板３２に送信するようになっている。これにより、計数装置３０の計数センサー３４はパチンコ玉通過部２２を通過するパチンコ玉の数をカウントすることができるようになっている。
なお、前記計数装置制御部５４は上述したように計数許可信号を所定時間だけ前記計数装置３０の制御基板３２に送信するので、店員がＩＣタグを利用したパチンコ玉計数機１０から離れた隙を狙ってパチンコ玉をカウントしようとしてもカウントすることはできないようになっている。
また、図２に示されるように、前記遊技媒体計数機本体１２の側面には電源スイッチ５６が設けられている。【０００８】  次に、第１実施例のＩＣタグを利用したパチンコ玉計数機１０の作用について説明する。
予め、ＩＣタグを利用したパチンコ玉計数機１０の電源スイッチ５６をオンにしておく。
パチンコ機でプレーして獲得したパチンコ玉の獲得数をＩＣタグを利用したパチンコ玉計数機１０でカウントする場合は、パチンコ店の店員が自己のＩＣカード１４を前記遊技媒体計数機本体１２のＩＣリーダ・ライタ装置４４に翳す。
すると前記ＩＣリーダ・ライタ装置４４から常時出されている微弱な電波をＩＣカード１４が受信し、この電波をエネルギーとしてＩＣカード１４のＩＣチップ５２に記録されている情報をＩＣリーダ・ライタ装置４４に送信する。
前記ＩＣカード１４から送信されたにＩＣカード１４に記録されてた情報が予めＩＣリーダ・ライタ装置４４に記録されている情報（店員の店員識別番号等の情報）と一致してＩＣカード１４の情報をＩＣリーダ・ライタ装置４４が読み取ることができると計数許可信号を前記計数装置３０の制御基板３２に所定時間だけ送信する。これにより、計数装置３０の計数センサー３４はパチンコ玉通過部２２を通過するパチンコ玉の数をカウントすることが可能になる。
そして、前記獲得したパチンコ玉をＩＣタグを利用したパチンコ玉計数機１０のホッパー体１６に投入すると共にシャッタースイッチを操作してシャッター２４を一端中央開口部２０Ａから後退させる。これにより、前記ホッパー体１６に投入されたパチンコ玉は前記パチンコ玉通過部２２を通過する。
パチンコ玉が前記パチンコ玉通過部２２を通過する時に前記計数装置３０の計数センサー３４がパチンコ玉を検知し、パチンコ玉の検知信号を制御基板３２に入力する。
そして、前記計数装置３０の計数センサー３８が検知したパチンコ玉の数が前記計数機本体１２のカウント表示部４０に表示される。
これにより、前記カウント表示部４０を見ることにより獲得したパチンコ玉の獲得総数を知ることができ、獲得総数に応じてパチンコ店が用意した景品等と交換することができる。
なお、前記ＩＣタグを利用したパチンコ玉計数機１０は店員が所持しているＩＣカード１４を前記ＩＣリーダ・ライタ装置４４に翳さなかったり、ＩＣカード１４に記録されている情報をＩＣリーダ・ライタ装置４４が読み取ることができない場合は前記計数装置制御部５４が計数許可信号を前記計数装置３０の制御基板３２に送信しないため、計数装置３０が作動可能にならないのでホッパー体１６にパチンコ玉を投入してもパチンコ玉をカウントしない。
このため、パチンコ店の店員がＩＣタグを利用したパチンコ玉計数機１０の周辺にいない場合や店員の指示を無視等して勝手にＩＣタグを利用したパチンコ玉計数機１０のホッパー体１６にパチンコ玉を投入してパチンコ玉をカウントしようとしてもパチンコ玉をカウントすることができない。
この結果、前記ＩＣカード１４を前記ＩＣリーダ・ライタ装置４４に翳さないかぎりＩＣタグを利用したパチンコ玉計数機１０を使用してパチンコ玉をカウントすることができないので、他のパチンコ店から持ち込んだパチンコ玉を前記ＩＣタグを利用したパチンコ玉計数機１０でカウントするような事態を防止することができる。【０００９】  なお、前記ＩＣタグを利用したパチンコ玉計数機１０でパチンコ玉をカウントする場合にパチンコ店の店員が自己のＩＣカード１４を前記ＩＣリーダ・ライタ装置４４に翳すとＩＣリーダ・ライタ装置４４によってＩＣカード１４をＩＣリーダ・ライタ装置４４に翳した事実がＩＣカード１４に確実に記録される。
これにより、前記ＩＣカード１４には翳した事実が全て記録されるため、例えば当該パチンコ店の店員が不良客と申し合わせて他のパチンコ店から持ち込んだパチンコ玉を前記ＩＣタグを利用したパチンコ玉計数機１０でカウントするような不正行為を抑止したり間接的に防止したりすることができる。【００１０】  図４には第２実施例のＩＣタグを利用した遊技媒体計数機が示されている。なお、第１実施例のＩＣタグを利用した遊技媒体計数機と同一の構成は同一の符号を用いてその説明は省略する。
第２実施例のＩＣタグを利用した遊技媒体計数機としてのＩＣタグを利用したパチンコ玉計数機６０の遊技媒体計数機本体１２の上部には第１実施例のＩＣリーダ・ライタ装置４４の代わりにＩＣリーダ装置６２が設けられている。このＩＣリーダ装置６２は前記ＩＣリーダ・ライタ装置４４のように翳したＩＣカード１４に情報を書き込むことはできないが、ＩＣカード１４の情報は読み取ることができるようになっている。
従って、第２実施例のＩＣタグを利用したパチンコ玉計数機６０においては店員が翳したＩＣカード１４にどの店員がＩＣタグを利用したパチンコ玉計数機６０でパチンコ玉をカウントしたか等の情報を書き込むことはできないが、第三者が勝手にＩＣタグを利用したパチンコ玉計数機６０を使用してパチンコ玉をカウントするようなことは確実に防止することができる。
なお、他の構成は第１実施例のＩＣタグを利用したパチンコ玉計数機１０と同一であるのでその説明は省略する。【００１１】  なお、実施例ではＩＣカード１４を接触しなくてもよい非接触式タイプのＩＣリーダ・ライタ装置４４、ＩＣリーダ装置６２を使用したが、前記ＩＣリーダ・ライタ装置４４、ＩＣリーダ装置６２は接触式タイプのものでもよいことは勿論である。
また、実施例ではＩＣタグを利用したパチンコ玉計数機１０，６０を比較的小型の遊技媒体計数機本体１２に適用して説明したが、ＩＣタグを利用したパチンコ玉計数機１０，６０の遊技媒体計数機本体１２の大きさや構造は実施例の遊技媒体計数機本体１２に限定されるものでないことは勿論である。【００１２】  なお、この実施例ではパチンコ機で使用するパチンコ玉をカウントすることができるＩＣタグを利用したパチンコ玉計数機１０，６０を遊技媒体計数機の一例として説明したが、遊技媒体計数機はパチスロ機で使用するコインをカウントする場合に使用されるコイン計数機機でもよいことは勿論である。
また、実施例ではＩＣタグとしてＩＣカード１４を例にして説明したが、ＩＣタグはＩＣカード１４以外のものでもよいことは勿論である。
【図面の簡単な説明】
【００１３】
【図１】第１実施例のＩＣタグを利用したパチンコ玉計数機の全体概略斜視図である。
【図２】第１実施例のＩＣタグを利用したパチンコ玉計数機の概略縦断面図である。
【図３】第１実施例のＩＣタグを利用したパチンコ玉計数機の回路構成概略説明図である。
【図４】第２実施例のＩＣタグを利用したパチンコ玉計数機の全体概略斜視図である。
【符号の説明】
【００１４】１０    ＩＣタグを利用したパチンコ玉計数機
１２    遊技媒体計数機本体
１４    ＩＣカード
１６    ホッパー体
１８    パチンコ玉タンク部
２０    底面
２２    パチンコ玉通過部
２４    シャッター
３０    計数装置
３２    制御基板
３４    計数センサー
４０    カウント表示部
４４    ＩＣリーダ・ライタ装置
５４    計数装置制御部
６０    ＩＣタグを利用したパチンコ玉計数機
６２    ＩＣリーダ装置
【図１】
0003140749.tif 000003
【図２】
0003140749.tif 000004
【図３】
0003140749.tif 000005
【図４】
0003140749.tif 000006